(57)【要約】      （修正有）【課題】  赤外線リモートコマンダーを外部補助赤外線照射ライトとして使用できるようにする。【解決手段】  赤外線リモートコマンダー２０を着脱自在に保持する保持手段と、上記保持手段から取り外された状態の上記赤外線リモートコマンダー２０から送信されてくる赤外線制御信号を受信する赤外線受信部１６と、上記赤外線受信部１６により受信した赤外線制御信号に応じてビデオカメラレコーダー本体１０の動作制御を行う制御部１５と、通常撮影モードと暗闇撮影モードの２種類の撮影モードを切り換える撮影モード切換手段と、上記保持手段に保持された状態の上記赤外線リモートコマンダー２０と制御信号の授受を行う制御インターフェース１９とを備え、上記制御部１５は、上記撮影モード切換手段によりビデオカメラレコーダー本体１０を暗闇撮影モードに切り換えると、上記赤外線リモートコマンダー２０の赤外線発光部を連続点灯状態させる。【選択図】        図２
2006197019.tif 000002
【特許請求の範囲】
【請求項１】
通常撮影モードと暗闇撮影モードの２種類の撮影モードを切り換えて撮影可能で、赤外線制御信号を送信する赤外線リモートコマンダーにより遠隔操作可能なビデオカメラレコーダーであって、
上記赤外線リモートコマンダーを着脱自在に保持する保持手段と、
上記保持手段から取り外された状態の上記赤外線リモートコマンダーから送信されてくる赤外線制御信号を受信する赤外線受信手段と、
上記赤外線受信手段により受信した赤外線制御信号に応じてビデオカメラレコーダー本体の動作制御を行う制御手段と、
通常撮影モードと暗闇撮影モードの２種類の撮影モードを切り換える撮影モード切換手段と、
上記保持手段に保持された状態の上記赤外線リモートコマンダーと制御信号の授受を行う制御インターフェース手段とを備え、
上記制御手段は、上記撮影モード切換手段によりビデオカメラレコーダー本体を暗闇撮影モードに切り換えると、上記保持手段に保持された上記赤外線リモートコマンダーに上記制御インターフェース手段を介して赤外線ライトモードの制御信号を与え、上記赤外線リモートコマンダーの赤外線発光手段を連続点灯状態させることを特徴とするビデオカメラレコーダー。
【請求項２】
上記撮影モード切換手段は、通常撮影モード時に撮像素子の前面に配される赤外線除去手段を暗闇撮影モード時に無効とすることを特徴とする請求項１記載のビデオカメラレコーダー。
【請求項３】
上記制御手段は、外部機器コマンダーモードが設定されると、上記保持手段に保持された上記赤外線リモートコマンダーに上記制御インターフェース手段を介して外部機器コマンダーモードの制御信号を与え、上記赤外線リモートコマンダーの赤外線発光手段から外部機器の赤外線制御信号を送信させる制御を行うことを特徴とする請求項１記載のビデオカメラレコーダー。
【請求項４】
上記保持手段に保持された上記赤外線リモートコマンダーに電源を供給する電源供給手段を備えることを特徴とする請求項１記載のビデオカメラレコーダー。
【請求項５】
ビデオカメラレコーダーを赤外線制御信号により遠隔操作する赤外線リモートコマンダーであって、
赤外線発光手段の点灯を制御して赤外線制御信号を送信させる制御手段と、
上記ビデオカメラレコーダーに装着されたことを検出する装着検出手段を備え、
上記制御手段は、上記装着検出手段により検出出力に基づいて、上記ビデオカメラレコーダーに装着された状態で上記赤外線発光手段を連続点灯させることを特徴とする赤外線リモートコマンダー。
【請求項６】
上記ビデオカメラレコーダーに装着された状態で上記制御手段が上記ビデオカメラレコーダーと制御信号を授受するための制御インターフェースを備え、
上記制御手段は、上記制御インターフェースを介して上記ビデオカメラレコーダーから送られてくる制御信号に応じて、上記赤外線発光手段の点灯を制御することを特徴とする請求項５記載の赤外線リモートコマンダー。
【請求項７】
上記ビデオカメラレコーダーに装着された状態で上記ビデオカメラレコーダーから電源を受給する電源受給手段を備えることを特徴とする請求項５記載の赤外線リモートコマンダー。
【発明の詳細な説明】
【技術分野】
【０００１】
本発明は、被写体に対する赤外線照射手段と赤外線除去手段動作の有効無効切換手段を有し、暗所において上記赤外線除去手段を無効にし、被写体に対する赤外線照射手段を用いることで暗闇撮影を可能にするビデオカメラレコーダーと、該ビデオカメラレコーダーを赤外線制御信号によって遠隔操作する赤外線リモートコマンダーに関する。
【背景技術】
【０００２】
従来より、家庭用電気機器を遠隔操作するための赤外線リモートコマンダーは広く使われている。
【０００３】
また、赤外線除去フィルタの挿脱と赤外線照射装置により、通常撮影と暗所撮影の両方に対応したビデオカメラレコーダーが提案され、実用になっている。この赤外線照射による暗所撮影ビデオカメラレコーダーの補助アクセサリーとして本体接続用の補助赤外線照射ライトも実用化されている。この補助赤外線照射ライトを使用することで、ビデオカメラレコーダー単体使用時より広範囲の被写体を高輝度に撮影することができる（例えば、特許文献１参照）。
【０００４】
一方、ＩＥＥＥ１３９４シリアルバスのＡＶ／Ｃコマンドのような共通制御バスを持たない外部機器を制御するために、赤外線発光部よりリモコンコマンドに相当する赤外線制御信号を発して編集を行う機能を持ったビデオカメラレコーダーが提案されている（例えば、特許文献１参照）。
【０００５】
【特許文献１】特開平０１−６９１６６号公報
【特許文献２】特開２００１−２６８４９７号公報
【発明の開示】
【発明が解決しようとする課題】
【０００６】
ところで、赤外線リモートコマンダーは、通常、使用者が携帯していなければならず、ビデオカメラレコーダーのように外出先で使用することの多い機器では、いざ使いたいときに手元にないことがままある。
【０００７】
また、通常撮影と暗所撮影の両方に対応したビデオカメラレコーダーでは、外部補助赤外線照射ライトの着脱は面倒であり、携帯機器がまた一つ増えることになる。
【０００８】
さらに、赤外線発光部よりリモコンコマンドに相当する赤外線制御信号を発して編集を行う機能を実現するためには、ビデオカメラレコーダーはリモコンコマンドの赤外線制御信号を発生させる機能を備えなくてはならず、システムの制約とコストアップにつながる。
【０００９】
そこで、本発明の目的は、上述の如き従来の問題点に鑑み、赤外線リモートコマンダーを外部補助赤外線照射ライトとして使用できるようにすることにある。
【００１０】
本発明の更に他の目的、本発明によって得られる具体的な利点は、以下に説明される実施の形態の説明から一層明らかにされる。
【課題を解決するための手段】
【００１１】
本発明では、通常時において赤外線リモートコマンダーはビデオカメラレコーダーの遠隔操作手段として動作し、暗所撮影時にはビデオカメラレコーダー本体に装着し赤外線照射補助手段とすることで本体のみで暗所撮影した場合に比べより広範囲、高輝度に被写体を撮影できるようにする。
【００１２】
すなわち、本発明は、通常撮影モードと暗闇撮影モードの２種類の撮影モードを切り換えて撮影可能で、赤外線制御信号を送信する赤外線リモートコマンダーにより遠隔操作可能なビデオカメラレコーダーであって、上記赤外線リモートコマンダーを着脱自在に保持する保持手段と、上記保持手段から取り外された状態の上記赤外線リモートコマンダーから送信されてくる赤外線制御信号を受信する赤外線受信手段と、上記赤外線受信手段により受信した赤外線制御信号に応じてビデオカメラレコーダー本体の動作制御を行う制御手段と、通常撮影モードと暗闇撮影モードの２種類の撮影モードを切り換える撮影モード切換手段と、上記保持手段に保持された状態の上記赤外線リモートコマンダーと制御信号の授受を行う制御インターフェース手段とを備え、上記制御手段は、上記撮影モード切換手段によりビデオカメラレコーダー本体を暗闇撮影モードに切り換えると、上記保持手段に保持された上記赤外線リモートコマンダーに上記制御インターフェース手段を介して赤外線ライトモードの制御信号を与え、上記赤外線リモートコマンダーの赤外線発光手段を連続点灯状態させることを特徴とする。
【００１３】
本発明に係るビデオカメラレコーダーにおいて、上記撮影モード切換手段は、例えば、通常撮影モード時に撮像素子の前面に配される赤外線除去手段を暗闇撮影モード時に無効とする。
【００１４】
また、本発明に係るビデオカメラレコーダーにおいて、上記制御手段は、例えば、外部機器コマンダーモードが設定されると、上記保持手段に保持された上記赤外線リモートコマンダーに上記制御インターフェース手段を介して外部機器コマンダーモードの制御信号を与え、上記赤外線リモートコマンダーの赤外線発光手段から外部機器の赤外線制御信号を送信させる制御を行う。
【００１５】
さらに、本発明に係るビデオカメラレコーダーは、上記保持手段に保持された上記赤外線リモートコマンダーに電源を供給する電源供給手段を備える。
【００１６】
本発明は、ビデオカメラレコーダーを赤外線制御信号により遠隔操作する赤外線リモートコマンダーであって、赤外線発光手段の点灯を制御して赤外線制御信号を送信させる制御手段と、上記ビデオカメラレコーダーに装着されたことを検出する装着検出手段を備え、上記制御手段は、上記装着検出手段により検出出力に基づいて、上記ビデオカメラレコーダーに装着された状態で上記赤外線発光手段を連続点灯させることを特徴とする。
【００１７】
本発明に係る赤外線リモートコマンダーは、例えば上記ビデオカメラレコーダーに装着された状態で上記制御手段が上記ビデオカメラレコーダーと制御信号を授受するための制御インターフェースを備え、上記制御手段は、上記制御インターフェースを介して上記ビデオカメラレコーダーから送られてくる制御信号に応じて、上記赤外線発光手段の点灯を制御する。
【００１８】
また、本発明に係る赤外線リモートコマンダーは、上記ビデオカメラレコーダーに装着された状態で上記ビデオカメラレコーダーから電源を受給する電源受給手段を備える。
【発明の効果】
【００１９】
本発明では、ビデオカメラレコーダーに赤外線リモートコマンダーを装着することで赤外線リモートコマンダーの可搬性を向上することができる。また、暗所撮影時には赤外線リモートコマンダーを補助赤外線照射ライトとして使用することで暗所撮影時の赤外線到達距離の向上やより高輝度での撮影をすることができる。また、補助赤外線照射ライトとしての可搬性も向上する。
【００２０】
また、本発明では、赤外線ライトモードを備えた赤外線リモートコマンダーの着機構を利用することでビデオカメラレコーダー本体の赤外線照射部を削除しコストを削減することができる。
【００２１】
さらに、本発明では、赤外線ライトモードを備えた赤外線リモートコマンダーに、さらにビデオカメラレコーダーからの制御による外部機器制御コマンダーモードを搭載することにより、赤外線制御信号作成機能をビデオカメラレコーダー本体と赤外線リモートコマンダーの双方に持たせることなく、リモコン制御部の拡張のみによって共通制御バスを持たない外部機器を制御して映像の簡易編集、分配を行うことができる。
【発明を実施するための最良の形態】
【００２２】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２３】
本発明は、例えば図１に示すような構成のビデオカメラレコーダー１００に適用される。
【００２４】
このビデオカメラレコーダー１００は、ビデオカメラレコーダー本体１０と、このビデオカメラレコーダー本体１０に設けられた保持部１０Ａに着脱自在に保持された赤外線リモートコマンダー２０からなる。
【００２５】
ビデオカメラレコーダー本体１０は、電気的な構成を図２のブロック図に示すように、被写体を撮像する撮像部１１、この撮像部１１により得られる撮像信号からモニター用の映像信号や記録用の映像信号を生成する信号処理部１２、この信号処理部１２からモニター用の映像信号が供給される電子ビューファインダ１３、上記信号処理部１２から記録用の映像信号が供給される記録再生部１４、これらを制御する制御部１５、この制御部１５に接続された赤外線制御信号の赤外線受信部１６、赤外線照射用の赤外線発光ダイオード１７、操作部１８、制御インターフェース１９などを備える。また、ビデオカメラレコーダー本体１０には、保持部１０Ａに保持された赤外線リモートコマンダー２０に電源を供給する電源供給部１９Ａが設けられている。
【００２６】
上記赤外線受信部１６は、上記ビデオカメラレコーダー本体１０に設けられた保持部１０Ａから取り外された状態の上記赤外線リモートコマンダー２０から送信されてくる赤外線制御信号を受信して制御部１５に供給する。また、上記制御インターフェース１９は、上記保持部１０Ａに装着された状態の上記赤外線リモートコマンダー２０と上記制御部１５との間での制御信号の授受を行うために設けられている。
【００２７】
このビデオカメラレコーダー１００は、ビデオカメラレコーダー本体１０に設けられたカメラモード切換スイッチ１８Ａにより通常撮影モードと暗闇撮影モードの２種類の撮影モードを切り換えて撮影可能で、上記撮像部１１は、可動式の赤外線除去フィルタ１１Ｂが前面に配された撮像素子１１Ｃを備え、通常撮像モード時には、図３の（Ａ）に示すように、撮像光が撮像レンズ１１Ａから赤外線除去フィルタ１１Ｂを介して撮像素子１１Ｃに照射され、また、暗闇撮影モード時には、図３の（Ｂ）に示すように、赤外線発光ダイオード１７が点灯するとともに、赤外線除去フィルタ１１Ｂが撮像素子１１Ｃの前面から移動されて外され、撮像光が撮像レンズ１１Ａから赤外線に感度を持つ撮像素子１１Ｃに直接照射されるようになっている。
【００２８】
また、赤外線リモートコマンダー２０は、ビデオカメラレコーダー本体１０を赤外線制御信号によって遠隔操作するためのものであって、図４の（Ａ），（Ｂ）に示すように、コマンダー本体２１に、ビデオカメラレコーダー本体１０を制御するための記録停止ボタン２２、ズーム動作ボタン２３に加え、再生停止ボタン、早送り、巻き戻しボタン、メニュー操作用の十字ボタンを含むビデオカメラレコーダー本体１０を操作するための操作スイッチ群２４を備えている。また、上記コマンダー本体２１は、ビデオカメラレコーダー本体１０への装着を検出するスイッチ２５、ビデオカメラレコーダー本体１０と直接制御信号をやり取りする制御インターフェース２６、赤外線発光部２７、バッテリー２８、電源受給端子２９を備える。
【００２９】
さらに、上記赤外線リモートコマンダー２０は、その電気的な構成を図５のブロック図に示すように、上記操作スイッチ群２４、装着検出スイッチ２５や制御インターフェース２６が接続された制御部３０を備え、赤外線発光部２７の赤外線ＬＥＤを駆動するＬＥＤ駆動部３１が接続されている。また、上記制御部３０には、内部バッテリー２８又は電源受給端子２９に接続されるビデオカメラレコーダー１０の電源供給部１９Ａから電源切換スイッチ３２を介して電源が供給されるようになっている。
【００３０】
このビデオカメラレコーダー１００における赤外線リモートコマンダー２０では、その制御フローを図６のフローチャートに示すように、通常リモコンモード、赤外線ライトモード及び外部機器コマンダーモードの３つの動作モードで動作する。
【００３１】
すなわち、このビデオカメラレコーダー１００において、コマンダー本体２１の制御部３０は、ビデオカメラレコーダー本体１０に装着されたか否かを判定し（ステップＳ１）、その判定結果が「ＮＯ」すなわち赤外線リモートコマンダー２０がビデオカメラレコーダー本体１０の保持部１０Ａに装着されていない場合には、通常のリモコンモードの処理を行う。
【００３２】
通常リモコンモードでは、赤外線リモートコマンダー２０は、記録停止ボタン２２、ズーム動作ボタン２３、操作ＳＷ群２４を押下すると制御部３０が押下されたボタンを認識し（ステップＳ２）、制御部３０によりリモコンコマンドを作成して（ステップＳ３）、赤外線発光部２７から赤外線制御信号を送信する（ステップＳ４）。
【００３３】
これにより、ビデオカメラレコーダー本体１０は、赤外線受信部１６にて赤外線制御信号を受信すると信号に従って動作する。これによって撮影時には三脚などに固定して手ぶれを防ぎながら、記録停止動作やズームなどの基本撮影を遠隔操作にて実行でき、また再生時には離れた位置から映像ソースの選択、再生、巻き戻し等の動作が可能になる。
【００３４】
また、このビデオカメラレコーダー１００において、コマンダー本体２１の制御部３０は、上記ステップＳ１の判定結果が「ＹＥＳ」すなわち赤外線リモートコマンダー２０がビデオカメラレコーダー本体１０の保持部１０Ａに装着された場合には、ビデオカメラレコーダー本体１０からモード切換インターフェースを介してモード切換信号が送られてきたか否かを判定し（ステップＳ５）、その判定結果が「ＮＯ」すなわちモード切換信号が送られてきていない場合には、赤外線ライトモードの処理を行う。
【００３５】
赤外線ライトモードでは、赤外線リモートコマンダー２０は、制御インターフェース２６を通じて送られるビデオカメラレコーダー本体１０の制御部１５からの制御信号を判定し（ステップＳ６）、制御信号に従って赤外線発光部２７を点灯又は消灯させる（ステップＳ７，Ｓ８）。
【００３６】
すなわち、赤外線リモートコマンダー２０をビデオカメラレコーダー１１に装着した場合には、装着検出スイッチ２５によりコマンダー本体２１の制御部３０はビデオカメラレコーダー本体１０との装着を検知し、赤外線ライトモードとして動作する。この赤外線ライトモードでは、制御インターフェース２６を通じて送られるビデオカメラレコーダー１１からの制御信号に従って赤外線発光部２７をＯＮ／ＯＦＦする。この赤外線ライトモードでは、記録停止ボタン２２、ズーム動作ボタン２３、操作ＳＷ群２４は本体装着側に隠れ操作することはできないが、押下された場合でも赤外線制御信号は送信されない。この赤外線ライトモードで暗所撮影を行うことで赤外線照射量が増え、より広範囲の被写体を高輝度で暗所撮影することが可能となる。
【００３７】
なお、この赤外線ライトモードでは赤外線発光部２７の赤外線ＬＥＤの発光には内部バッテリー２８を用いても良いし、電源供給接続部２９経由でビデオカメラレコーダー本体１０から電源供給を受けても良い。
【００３８】
さらに、このビデオカメラレコーダー１００において、コマンダー本体２１の制御部３０は、上記ステップＳ５の判定結果が「ＹＥＳ」すなわちビデオカメラレコーダー本体１０からモード切換インターフェースを介してモード切換信号が送られてきた場合には、外部機器コマンダーモードの処理を行う。
【００３９】
この外部機器コマンダーモードでは、制御インターフェース２６を通してビデオカメラレコーダー本体１０から送られてくる外部機器のリモコンフォーマット識別子とリモコンコマンド識別子を元にリモコンフォーマットを判別し（ステップＳ９）、制御部２９に含まれる記憶部内部のテーブルデータをもとに該当する外部機器の赤外線制御信号発光パターンを作成し（ステップＳ１０）、赤外線発光部２７を点滅させることで外部機器制御用の赤外線制御信号を送信する（ステップＳ１１）。
【００４０】
このように、このビデオカメラレコーダー１００では、赤外線ライトモードを備えた赤外線リモートコマンダー２０に、さらにビデオカメラレコーダー本体１０からの制御による外部機器制御コマンダーモードを搭載することにより、赤外線制御信号作成機能をビデオカメラレコーダー本体１０とコマンダー本体２１の双方に持たせることなく、コマンダー本体２１の制御部３０の拡張のみによって共通制御バスを持たない外部機器を制御して映像の簡易編集、分配を行うことができる。
【図面の簡単な説明】
【００４１】
【図１】本発明を適用したビデオカメラレコーダーの構成を示すブロック図である。
【図２】上記ビデオカメラレコーダーにおけるビデオカメラレコーダー本体の電気的な構成を示すブロック図に示すである。
【図３】上記ビデオカメラレコーダーの通常撮影モードと暗闇撮影モードにおける赤外線除去フィルタの除去状態を模式的に示す図である。
【図４】上記ビデオカメラレコーダーにおける赤外線リモートコマンダーの構成を模式的に示す図である。
【図５】上記赤外線リモートコマンダーの電気的な構成を示すブロック図に示すである。
【図６】上記赤外線リモートコマンダーの制御フローを示すフローチャートである。
【符号の説明】
【００４２】
１０  ビデオカメラレコーダー本体、１０Ａ  保持部、１１  撮像部、１１Ａ  撮像レンズ、１１Ｂ  赤外線除去フィルタ、１１Ｃ  撮像素子、１２  信号処理部、１３  電子ビューファインダ、１４  記録再生部、１５  制御部、１６  赤外線受信部、１７  赤外線発光ダイオード、１８  操作部、１８Ａ  カメラモード切換スイッチ、１９  制御インターフェース、１９Ａ  電源供給部、２０  赤外線リモートコマンダー、２１  コマンダー本体、２２  記録停止ボタン、２３  ズーム動作ボタン、２４  操作スイッチ群、２５  装着検出スイッチ、２６  制御インターフェース、２７  赤外線発光部、２８  バッテリー、２９  電源供給接続部、３０  制御部、３１  ＬＥＤ駆動部、３２  電源切換スイッチ、１００  ビデオカメラレコーダー
【図１】
2006197019.tif 000003
【図２】
2006197019.tif 000004
【図３】
2006197019.tif 000005
【図４】
2006197019.tif 000006
【図５】
2006197019.tif 000007
【図６】
2006197019.tif 000008